(57)【特許請求の範囲】
【請求項１】
表面に対して裏側に接着面を配するシート基材と、
該シート基材の接着面を剥離可能に被覆する剥離紙と、
前記シート基材と略同じ形状及び同じ大きさで形成され且つ前記シート基材の形状を支持するようシート基材の表面を剥離可能に被覆するキャリアと、
該キャリアから外方へ突出することなく、キャリアの端部から表面上に配置されてキャリアの強度を高める補強部とを備え、
前記キャリアの端部には、補強部の下方に位置し且つシート基材の表面から予め剥離された非接着帯を備え、
前記キャリアを配した状態でシート基材が、曲面を有する適用箇所に接着面で貼付された際には、キャリアの端部が非接着帯及び補強部によりシート基材から離間し、キャリアをシート基材から引き剥がすための摘み部となるように構成されたことを特徴とする救急絆。
【請求項２】
前記補強部を、キャリアに配置される補助シートで構成したことを特徴とする請求項１に記載の救急絆。
【請求項３】
前記補強部は、キャリアの長手方向の先端から中央方向へ向かって形成されると共に、キャリアの長手方向全長に対して２０％〜５０％の長さで形成されたことを特徴とする請求項１に記載の救急絆。
【請求項４】
前記非接着帯は、キャリアの長手方向の先端から中央方向へ向かって形成されると共に、キャリアの長手方向全長に対して８％〜３７％の長さで形成されたことを特徴とする請求項１に記載の救急絆。
【発明の詳細な説明】
【技術分野】
【０００１】
本発明は、傷部を被覆保護する救急絆に関するものである。
【背景技術】
【０００２】
従来において、傷部を被覆する際には、接着面を配したシート基材の中央にパッドを備える止血絆が用いられている（例えば、特許文献１参照）。
【０００３】
また、他の例には、パッドを備えることなく、ウレタン製のシート基材で構成される絆創膏が用いられており、このウレタン製のシート基材は、裏側の接着面に剥離紙を備えると共に、表側にシート基材の形状を支持するキャリアを備え、キャリアには、シート基材から剥離し得るようにシート基材の形状より外方へ突出した摘み部を配置している（例えば、特許文献２参照）。
【０００４】
また、絆創膏を施用する際には、シート基材から剥離紙を剥離して傷部に貼付し、更に摘み部を把持してシート基材からキャリアを剥離し得るようにしている。
【特許文献１】特願２００５−１６８８７５号公報
【特許文献２】特願２００７−１５１７１９号公報
【発明の開示】
【発明が解決しようとする課題】
【０００５】
しかしながら、このようなウレタン製のシート基材を用いた絆創膏は、注射針、カテーテル等により生じた穿刺部を被覆保護するような大型のものが一般的であり、指に巻き付けて使用する場合には、シート基材にシワ、捩れ、ゴワつきを生じ、キャリアを配した状態でシート基材を好適に巻き付けて貼付することができないという問題があった。また、このような構成では、キャリアから突出した摘み部を使用しない限り、キャリアをシート基材から剥離することができないという問題があった。更に、キャリアに摘み部を備える場合には、摘み部を備える工程や材料を必要して製造コストが増加するという問題があった。
【０００６】
本発明は上述の実情に鑑みてなしたもので、指等の適用箇所にシート基材を好適に貼付できる救急絆を提供することを目的としている。
【課題を解決するための手段】
【０００７】
本発明は、表面に対して裏側に接着面を配するシート基材と、
該シート基材の接着面を剥離可能に被覆する剥離紙と、
前記シート基材と略同じ形状及び同じ大きさで形成され且つ前記シート基材の形状を支持するようシート基材の表面を剥離可能に被覆するキャリアと、
該キャリアから外方へ突出することなく、キャリアの端部から表面上に配置されてキャリアの強度を高める補強部とを備え、
前記キャリアの端部には、補強部の下方に位置し且つシート基材の表面から予め剥離された非接着帯を備え、
前記キャリアを配した状態でシート基材が、曲面を有する適用箇所に接着面で貼付された際には、キャリアの端部が非接着帯及び補強部によりシート基材から離間し、キャリアをシート基材から引き剥がすための摘み部となるように構成されたことを特徴とする救急絆、に係るものである。
【０００８】
本発明において、補強部を、キャリアに配置される補助シートで構成することが好ましい。
【０００９】
本発明において、補強部は、キャリアの長手方向の先端から中央方向へ向かって形成されると共に、キャリアの長手方向全長に対して２０％〜５０％の長さで形成されることが好ましい。
【００１０】
本発明において、非接着帯は、キャリアの長手方向の先端から中央方向へ向かって形成されると共に、キャリアの長手方向全長に対して８％〜３７％の長さで形成されることが好ましい。
【００１１】
【００１２】
このように本発明の救急絆によれば、非接着帯を備えるので、キャリアにシート基材を支持する硬さを有し且つキャリアを配した状態でシート基材を、指等の適用箇所に巻き付け、シート基材を適切に貼付することができる。また、非接着帯及び補強部によりキャリアの端部がシート基材から浮き、キャリアの浮いた部分を摘み部にするので、キャリアをシート基材から容易に剥離することができると共に、摘み部を備える工程や材料を不要にして製造コストを低減することができる。
【００１３】
本発明において、補強部を、キャリアに配置する補助シートで構成すると、補助シートの強度を選択することにより、キャリアの端部がシート基材から好適に浮くので、シート基材を適切に貼付することができる。また、補強部を簡易な構成にするので、製造コストを低減することができる。
【００１４】
本発明において、補強部は、キャリアの長手方向の先端から中央方向へ向かって形成されると共に、キャリアの長手方向全長に対して２０％〜５０％の長さで形成されると、キャリアを配した状態でシート基材が、指等の適用箇所に貼付された際には、キャリアの端部がシート基材から浮くので、シート基材を適切に貼付することができる。
【００１５】
本発明において、非接着帯は、キャリアの長手方向の先端から中央方向へ向かって形成されると共に、キャリアの長手方向全長に対して８％〜３７％の長さで形成されると、キャリアを配した状態でシート基材が、指等の適用箇所に貼付された際には、キャリアの端部がシート基材から浮くので、シート基材を適切に貼付することができる。
【発明の効果】
【００１６】
上記した本発明の救急絆によれば、指等の適用箇所にシート基材を好適に貼付することができるという優れた効果を奏し得る。
【発明を実施するための最良の形態】
【００１７】
以下本発明の実施の形態例を図面を参照しつつ説明する。
【００１８】
図１〜図４は本発明を実施する形態例を示すもので、図１は本発明を実施する形態例を示す平面図、図２は図１のＩＩ−ＩＩ方向の矢視図、図３は救急絆の施用方法において第二の剥離紙を剥離してシート基材を適用箇所に貼付した状態を示す概念図、図４は救急絆の施用方法を示すフロー図である。
【００１９】
実施の形態例の救急絆１は、表面に対して裏側に接着面２を配するウレタンフィルム等のシート基材３と、シート基材３の長手方向の一端から接着面２の略中央までを剥離可能に被覆する第一の剥離紙４と、シート基材３の長手方向の他端からシート基材３の残りの接着面２を剥離可能に被覆する第二の剥離紙５と、シート基材３と略同じ形状で形成され且つシート基材３の形状を支持するようシート基材３の表面を剥離可能に被覆する樹脂フィルム等のキャリア６とを備えている。
【００２０】
シート基材３は、ウレタンフィルムの素材で構成され、一般的な救急絆と略同じ大きさで構成されている。また、接着面２には、薬剤を含んで直接傷部に貼付し得るようにしている。ここで、シート基材３の素材は、接着面２により適用箇所に貼付し得るならばウレタンフィルム等に限定されるものではない。
【００２１】
第一の剥離紙４は、中央寄り側部で折り返された把持部４ａを形成しており、第二の剥離紙５は、第二の剥離紙４の把持部４ａを覆う延在部５ａを形成している。
【００２２】
キャリア６の端部６ａには、シート基材３に対して予め剥離するよう、溶着されてない非接着帯７が構成されており、非接着帯７は、キャリア６の長手方向の先端からキャリアの長手方向の中央方向へ向かって形成されると共に、キャリア６の長手方向全長に対して８％〜３７％の長さ、好ましくは１０％〜１９％の長さで形成されている。ここで、キャリア６は、シート基材３を支持する硬さを有すると共に、シート基材３に付随して指等の曲率の大きい部分に、ある程度巻き付けうる柔軟性を有し、ポリエチレンテレフタレート（ＰＥＴ）、ポリプロピレン（ＰＰ）、ポリエチレン（ＰＥ）等の素材で構成されている。また、キャリア６の非接着帯７は、キャリア６の一端部に備えられるのみならず、キャリア６の両端部に備えられても良いし、その他の周囲に配置されても良い。
【００２３】
また、キャリア６の端部６ａには、キャリア６の他の位置よりも強度を高める補強部８が備えられており、補強部８は、キャリア６よりも突出することがない形状で、キャリア６の表面に溶着される補助シートで構成されると共に、非接着帯７よりも長く構成され且つキャリア６の長手方向全長に対して２０％〜５０％の長さ、好ましくは２８％〜４６％の長さで形成されている。ここで、補強部８は、キャリア６を補強するならば、素材は特に限定されるものではないが、キャリア６及びシート基材３と共に、形状を切り揃え得るものが好ましい。また、補強部８には、キャリア６を剥離する方向やその他の表示を記載しても良い。
【００２４】
次に、救急絆１の施用方法を図面を参照しつつ説明する。
【００２５】
救急絆１を指等の曲率の大きい適用箇所Ｓに施用する際には、第二の剥離紙５をシート基材３から剥離し（図４のステップＡ１）、接着面２に触れないように第一の剥離紙４及びキャリア６を把持し（図４のステップＡ２）、直接若しくは消毒綿等（図示せず）を介して適用箇所Ｓにシート基材３を仮貼付し（図４のステップＡ３）、シート基材３から第一の剥離紙４を剥離し（図３の矢印Ａ方向）、シート基材３を完全に貼付する（図４のステップＡ４）。この時、キャリア６の端部６ａは、適用箇所Ｓへの貼付によって図３に示す如く非接着帯７を介してシート基材３から浮くことにより、このキャリア６の浮いた端部６ａ部分を把持して他端側へ引き（図３の矢印Ｂ方向）、シート基材３からキャリア６を剥離し（図４のステップＡ５）、シート基材３の貼付を完了する。
【００２６】
また、救急絆１を曲率の小さい適用箇所や略平面状の提供箇所に施用する際には、同様な手順でシート基材３を貼付する。
【００２７】
このように本発明を実施する形態例の救急絆１によれば、非接着帯７を備えるので、キャリア６にシート基材３を支持する硬さ（強度）を有し且つキャリア６を配した状態でシート基材３を、指等の曲面の大きい適用箇所Ｓに巻き付け、シート基材３を適切に貼付することができる。また、非接着帯７及び補強部８によりキャリア６の端部６ａがシート基材３から浮き、キャリア６の浮いた端部６ａ部分を摘み部にするので、キャリア６をシート基材３から容易に剥離することができると共に、摘み部を備える工程や材料を不要にして製造コストを低減することができる。
【００２８】
また、シート基材３を支持するキャリア６の硬さ（強度）を維持するので、キャリア６によってシート基材３を支持できない状態を無くし、シート基材３の形状を崩したり、シート基材３にシワ、捩れ、ゴワつきを生じたりすることを防止できる。更に、シート基材３を曲げない状態で保持する際には、非接着帯７においてキャリア６がシート基材３に寄り添って位置するので、シート基材３の形状を崩すことを防止できる。
【００２９】
本発明を実施する形態例において、補強部８を、キャリア６に配置する補助シートで構成すると、補助シートの強度を選択することにより、曲面を有する適用箇所Ｓに応じてキャリア６の端部６ａがシート基材３から好適に浮くので、指等の曲率の大きい適用箇所Ｓにシート基材３を巻き付けて適切に貼付することができる。また、補強部８を簡易な構成にすると共に既存の設備で製造し得るので、製造コストを低減することができる。更に、補助シートは、シート基材３と略同じ形状で形成されるので、従来の摘み部と異なり、指等の曲率の大きい適用箇所Ｓにシート基材３を巻き付ける際に、摘み部が邪魔になることを防止できる。更にまた、補助シートに、キャリア６を剥離する方向や摘み部として表示を記載した際には、キャリア６をシート基材３から容易に剥離することができる。
【００３０】
本発明を実施する形態例において、補強部８は、非接着帯７に対応するよう、キャリア６の長手方向の先端からキャリア６の長手方向の中央方向へ向かって形成されると共に、キャリア６の長手方向全長に対して２０％〜５０％の長さで形成されると、キャリア６を配した状態でシート基材３が、曲面を有する適用箇所Ｓに貼付された際には、キャリア６の端部６ａがシート基材３から浮くので、シート基材３を指等の曲率の大きい適用箇所Ｓに巻き付けて適切に貼付することができる。ここで、補強部８をキャリア６の長手方向全長に対して２０％未満の長さにすると、キャリア６を配した状態でシート基材３が、曲面を有する適用箇所Ｓに貼付された際に、キャリア６の端部６ａがシート基材３から浮くことができず、シート基材３を容易に貼付することができないという問題がある。また、補強部８をキャリア６の長手方向全長に対して５０％より大きな長さにすると、キャリア６を配した状態でシート基材３が貼付された際に、補強部８がキャリア６を介してシート基材３に影響を与え、シート基材３に対しシワ、捩れ、ゴワつきを生じて指等の適用箇所Ｓに好適に巻き付けることができないと共に、製造コストが増加するという問題がある。また、補強部８をキャリア６の長手方向全長に対して２８％〜４６％にすると、キャリア６の端部６ａがシート基材３から適切に浮く作用と、指等の曲率の大きい適用箇所Ｓに巻き付ける作用との好適なバランスをとることができる。
【００３１】
本発明を実施する形態例において、非接着帯７は、キャリア６の長手方向の先端からキャリア６の長手方向の中央方向へ向かって形成されると共に、キャリア６の長手方向全長に対して８％〜３７％の長さで形成されると、キャリア６を配した状態でシート基材３が、曲面を有する適用箇所Ｓに貼付された際には、キャリア６の端部６ａがシート基材３から浮くので、シート基材３を指等の曲率の大きい適用箇所Ｓに巻き付けて適切に貼付することができる。ここで、非接着帯７をキャリア６の長手方向全長に対して８％未満の長さにすると、摘み部を適切に構成することができず、シート基材３を容易に貼付することができないという問題がある。また、非接着帯７をキャリア６の長手方向全長に対して３７％より大きい長さにすると、キャリア６がシート基材３を支持する作用が大幅に低下し、シート基材３の形状を崩したり、シート基材３にシワ、捩れ、ゴワつきを生じたりするという問題がある。また、非接着帯７をキャリア６の長手方向全長に対して１０％〜１９％にすると、指等の曲率の大きい適用箇所Ｓに巻き付ける作用と、シート基材３を支持する作用との好適なバランスをとることができる。
【００３２】
尚、本発明の救急絆は、上述の形態例にのみ限定されるものではなく、補強部は、補助シートの代わりにキャリアの該当箇所の厚みを増して形成しても良いこと、更に、補強部は、キャリア等に固化剤を塗布して強度を高めても良いこと、その他、本発明の要旨を逸脱しない範囲内において種々変更を加え得ることは勿論である。
【図面の簡単な説明】
【００３３】
【図１】本発明を実施する形態例を示す平面図である。
【図２】図１のＩＩ−ＩＩ方向の矢視図である。
【図３】救急絆の施用方法において第二の剥離紙を剥離してシート基材を適用箇所に貼付した状態を示す概念図である。
【図４】救急絆の施用方法を示すフロー図である。
【符号の説明】
【００３４】
１    救急絆
２    接着面
３    シート基材
４    第一の剥離紙
５    第二の剥離紙
６    キャリア
７    非接着帯
８    補強部
Ｓ    適用箇所
【図１】
0004824006.tif 000002
【図２】
0004824006.tif 000003
【図３】
0004824006.tif 000004
【図４】
0004824006.tif 000005